(57)【要約】【課題】洗面台や流しのうちその下に物入れが設けられているものに取り付けられたとき、その物入れの実質的な容積の低下を、Ｓトラップを取り付ける場合よりも抑制する。【解決手段】排水トラップ２０は、排水が入る排水流入部３６と、排水が出る排水流出部３８とを備えている。排水トラップ２０は、貯水部３０と、隔壁３４とをさらに備える。貯水部３０は、排水流入部３６と排水流出部３８とに接続される。貯水部３０は、排水流入部３６から入った排水を蓄える。隔壁３４は、貯水部３０の中に設けられる。隔壁３４は、排水を堰き止める。【選択図】図１
2011132664.tif 000002
【特許請求の範囲】
【請求項１】
排水が入る排水流入部と、
前記排水が出る排水流出部とを備えている排水トラップであって、
前記排水流入部と前記排水流出部とに接続され、前記排水流入部から入った前記排水を蓄える貯水部と、
前記貯水部の中の、前記排水流入部との接続箇所と前記排水流出部との接続箇所との間に設けられ、前記排水を堰き止める隔壁とをさらに備えることを特徴とする、排水トラップ。
【請求項２】
前記貯水部は、前記排水を蓄えているときの、前記隔壁の頂部から前記排水流出部側の前記貯水部の底面までの深さが、前記隔壁の頂部から前記排水流入部側の前記貯水部の底面までの深さよりも浅くなっており、かつ、前記排水を蓄えている状態における底部で前記排水流出部と接続されていることを特徴とする、請求項１に記載の排水トラップ。
【請求項３】
前記貯水部は、前記排水を蓄えているときの、前記貯水部の側面で前記排水流入部と接続されており、
前記隔壁の頂部は、前記貯水部が前記排水を蓄えている状態において、前記排水流入部の上端より高く、
前記排水流入部が、前記貯水部との接続箇所にまっすぐな筒形部分を有していることを特徴とする、請求項１に記載の排水トラップ。
【発明の詳細な説明】
【技術分野】
【０００１】
本発明は、排水トラップに関し、特に洗面台や流しのうちその下に物入れが設けられているものに取り付けられたとき、その物入れの実質的な容積の低下を、Ｓトラップを取り付ける場合よりも抑制できる排水トラップに関する。
【背景技術】
【０００２】
排水トラップの一種である「Ｓトラップ」は、広く知られている。Ｓトラップは、洗面台や流しのうちその下に物入れが設けられているものにしばしば取り付けられる。
【０００３】
なお、以上本発明についての従来の技術を、出願人の知得した一般的技術情報に基づいて説明したが、出願人の記憶する範囲において、出願前までに先行技術文献情報として開示すべき情報を出願人は有していない。
【発明の概要】
【発明が解決しようとする課題】
【０００４】
Ｓトラップには、物入れの中に配置すると、その物入れの実質的な容積が小さくなるという問題点がある。そうなるのは、Ｓトラップの正味の体積に比べて事実上物を収容できなくなる空間が大きいためである。正味の体積に比べて事実上物を収容できなくなる空間が大きいのは、Ｓトラップの形状に原因がある。Ｓトラップは、管がＳ字状に折れ曲がったものである。管がＳ字状に折れ曲がっているので、その周囲に、Ｓ字状に折れ曲がった管が邪魔となって物を収容できない空間が発生する。そのため、Ｓトラップの正味の体積に比べて事実上物を収容できなくなる空間が大きくなる。
【０００５】
本発明は、このような問題を解消するためになされたものであり、その目的とするところは、洗面台や流しのうちその下に物入れが設けられているものに取り付けられたとき、その物入れの実質的な容積の低下を、Ｓトラップを取り付ける場合よりも抑制できる排水トラップを提供することにある。
【課題を解決するための手段】
【０００６】
図面を参照して本発明の排水トラップを説明する。なお、この欄で図中の符号を使用したのは、発明の内容の理解を助けるためであって、内容を図示した範囲に限定する意図ではない。
【０００７】
上記課題を解決するために、本発明のある局面に従うと、排水トラップ２０は、排水が入る排水流入部３６と、排水が出る排水流出部３８とを備えている。排水トラップ２０は、貯水部３０と、隔壁３４とをさらに備える。貯水部３０は、排水流入部３６と排水流出部３８とに接続される。貯水部３０は、排水流入部３６から入った排水を蓄える。隔壁３４は、貯水部３０の中の、排水流入部３６との接続箇所と排水流出部３８との接続箇所との間に設けられる。隔壁３４は、排水を堰き止める。
【０００８】
貯水部３０の中に隔壁３４が設けられることで、Ｓトラップのように管を折り曲げた構造としなくても、排水が蓄えられた状態を維持することができる。Ｓトラップのように管を折り曲げた構造としなくてもよいので、管が邪魔となることで形成される、物を収容できない空間を少なくさせることができる。物を収容できない空間を少なくさせることができるので、洗面台や流しのうちその下に物入れが設けられているものに取り付けられたとき、その物入れの実質的な容積の低下（言い換えると、管が邪魔となって物を収容できない空間が多くできること）を、Ｓトラップを取り付ける場合よりも抑制できる。
【０００９】
また、上述した貯水部３０は、排水を蓄えているときの、隔壁３４の頂部３４２から排水流出部３８側の貯水部３０の底面６２２までの深さが、隔壁３４の頂部３４２から排水流入部３６側の貯水部３０の底面６０２までの深さよりも浅くなっていることが望ましい。この場合、貯水部３０は、排水を蓄えている状態における底部で排水流出部３８と接続されている。
【００１０】
上述した「排水を蓄えているとき、隔壁３４の頂部３４２から排水流出部３８側の貯水部３０の底面までの深さが、隔壁３４の頂部３４２から排水流入部３６側の貯水部３０の底面までの深さよりも浅くなっている」という要件が満たされると、貯水部３０のうち排水流入部３６側の部分６０には十分な排水を蓄えやすくなる。この要件に加え、「貯水部３０はその底部で排水流出部３８と接続されている」という要件が満たされると、貯水部３０がその側面で排水流出部３８と接続されている場合に比べ、貯水部３０の体積は小さくなる。その分、上述した物入れの実質的な容積の低下を抑制できる。
【００１１】
もしくは、上述した貯水部３０は、排水を蓄えているときの、貯水部３０の側面で排水流入部３６と接続されていることが望ましい。この場合、隔壁３４の頂部３４２は、貯水部３０が排水を蓄えている状態において、排水流入部３６の上端３６２より高い。そして、排水流入部３６が、貯水部３０との接続箇所にまっすぐな筒形部分を有している。これにより、洗面台や流しの下に排水トラップ２０が取り付けられたとき、貯水部３０の内部だけでなく、排水流入部３６およびその先の部分においても排水が溜まる。その分、排水流出部３８から進入する気体の漏出をよく防止できる。
【発明の効果】
【００１２】
以上のように、本発明にかかる排水トラップによれば、洗面台や流しのうちその下に物入れが設けられているものに取り付けられたとき、その物入れの実質的な容積の低下を、Ｓトラップを取り付ける場合よりも抑制できる。
【図面の簡単な説明】
【００１３】
【図１】本発明の実施形態にかかるトラップユニットの正面図である。
【図２】本発明の実施形態にかかるトラップユニットの平面図である。
【図３】本発明の実施形態にかかる蓋の底面図である。
【発明を実施するための形態】
【００１４】
以下、図面を参照しつつ、本発明の実施形態について説明する。以下の説明では、同一の部品には同一の符号を付してある。それらの名称および機能も同一である。したがって、それらについての詳細な説明は繰返さない。
【００１５】
図１ないし図３を参照しつつ、本発明の実施形態にかかるトラップユニット１０について説明する。図１は、本実施形態にかかるトラップユニット１０の正面図である。図２は、蓋３２が取り除かれた状態のトラップユニット１０の平面図である。図３は、蓋３２の底面図である。
【００１６】
まず、本実施形態にかかるトラップユニット１０の構成について説明する。本実施形態にかかるトラップユニット１０は、排水トラップ２０と、エルボ２２と、ストレート管２４とを備える。図１および図２は、排水トラップ２０からストレート管２４を取り外した状態を示している。しかし、トラップユニット１０を使用する際、排水トラップ２０とストレート管２４とは接続される。
【００１７】
エルボ２２は、洗面台（図示せず）の排水口とストレート管２４とに接続される（なお、洗面台に代えて図示しない流しであってもよいことは言うまでもない）。ストレート管２４は、エルボ２２と排水トラップ２０とに接続される。排水トラップ２０は、ストレート管２４と周知の排水管７０とに接続される。排水トラップ２０は、洗面台からエルボ２２やストレート管２４を経て流れてきた排水を蓄えることにより下水道から硫化水素ガスなどの有害ガスが家屋内へ侵入することを防止するための（つまり水封するための）器具である。
【００１８】
次に、排水トラップ２０の構成について説明する。本実施形態にかかる排水トラップ２０は、貯水部３０と、蓋３２と、隔壁３４と、排水流入部３６と、排水流出部３８とを有する。
【００１９】
貯水部３０は、排水流入部３６から入った排水を蓄える容器である。図１に示す通り、本実施形態の貯水部３０において、貯水部３０のうち、隔壁３４よりも排水流入部３６側の部分（水封部６０）の底の方が、隔壁３４よりも排水流出部３８側の部分（気体収容部６２）の底より浅くなっている。つまり、本実施形態の貯水部３０は、排水を蓄えているときの、隔壁３４の頂部３４２から気体収容部６２の底面６２２までの深さが、隔壁３４の頂部３４２から水封部６０の底面６０２までの深さよりも浅くなっている。このような構造となっているので、水封部６０と気体収容部６２とが同じ深さである場合に比べ、水封部６０に十分な水を蓄えることができる。
【００２０】
蓋３２は、貯水部３０の開口に取り付けられる。貯水部３０には、雌ネジ部５０が設けられている。蓋３２には、ネジ孔５２が設けられている。図２に示すように、貯水部３０の開口にはパッキン４０が取り付けられている。貯水部３０に蓋３２が嵌め込まれると、パッキン４０が貯水部３０と蓋３２との間を密封する。この状態で図示しないねじがネジ孔５２を貫通して雌ネジ部５０にねじ込まれることで、蓋３２は貯水部３０に固定される。
【００２１】
隔壁３４は、貯水部３０の中に設けられている。隔壁３４は、貯水部３０が排水を蓄えるとき、その排水を堰き止める。本実施形態において、隔壁３４は、貯水部３０の内面の底（つまり底面６２２）から垂直に直立しており、かつ、貯水部３０と一体となっている、平板である。
【００２２】
排水流入部３６は、貯水部３０の側面から横方向にまっすぐ突出する筒形部分である。貯水部３０が排水を蓄えているとき、排水流入部３６の上端３６２は、隔壁３４の頂部３４２よりも低い。排水流入部３６は、ストレート管２４に接続される。これにより、排水流入部３６から貯水部３０内へ排水が流入する。
【００２３】
排水流出部３８は、隔壁３４を越流した排水が排出される部分である。排水流出部３８は、貯水部３０が排水を蓄えている状態における貯水部３０の底面から真下方向に突出し、周知の排水管７０に接続される。
【００２４】
なお、エルボ２２とストレート管２４との構造は周知のエルボやストレート管と同一である。そして、ストレート管２４と排水トラップ２０とを接続するための具体的手段や、排水トラップ２０と排水管７０とを接続するための具体的手段は、周知の継手を用いるという手段その他任意の手段を採用することができる。したがって、それらの手段の具体的内容は、ここでは説明しない。
【００２５】
ちなみに、本実施形態では、貯水部３０に水が蓄えられている状態における水平方向を「横方向」と称する。貯水部３０に水が蓄えられている状態における真下の方向を「真下方向」と称する。
【００２６】
次に、本実施形態にかかるトラップユニット１０における水封機能について説明する。
【００２７】
洗面台から排水が排出されると、その排水は、まずエルボ２２に流入する。エルボ２２に流入した排水は、ストレート管２４を通過して排水流入部３６から貯水部３０の水封部６０に流入する。貯水部３０の中には隔壁３４が設けられているので、その排水は水封部６０の中にたまる。その後、洗面台からさらに排水が排出されることで、水封部６０の水位は次第に上昇する。これに伴い、ストレート管２４とエルボ２２の中の排水の水位も上昇する。最終的に、水封部６０の水位が隔壁３４の高さに達すると、水封部６０の中の排水は隔壁３４を越流する。越流した排水は、排水流出部３８を通過して排水管７０へ排出される。
【００２８】
一方、排水管７０からあがってくる硫化水素ガスなどの有毒ガスは、水封部６０の中の排水に遮られて、ストレート管２４やエルボ２２を通過することができない。これにより、洗面台から硫化水素のような有毒ガスが家屋内に流入することを防止できる。
【００２９】
なお、貯水部３０の中にたまったゴミを清掃する場合、雌ネジ部５０にねじ込まれたねじを取り外し、貯水部３０から蓋３２を取り外し、貯水部３０の中を掃除すれば良い。
【００３０】
以上のようにして、本実施形態にかかるトラップユニット１０によれば、水封部６０にたまった排水によって有毒ガスの侵入を防止できる。しかも、本実施形態にかかる排水トラップ２０は、Ｓトラップに比べて、その周囲における事実上物を収容できなくなる空間が小さい。
【００３１】
また、本実施形態にかかるトラップユニット１０は、エルボ２２とストレート管２４とを介して洗面台と排水トラップ２０とを接続しているので、長いストレート管２４を用いることにより、排水トラップ２０を洗面台の下の中央部分から遠ざけることができる。排水トラップ２０を洗面台の下の中央部分から遠ざけることができるので、本実施形態にかかるトラップユニット１０を設置すると、Ｓトラップを設置する場合に比べ、洗面台の下に大きな空間を設けることができる。
【００３２】
しかも、本実施形態の場合、水封部６０だけでなく、ストレート管２４とエルボ２２との中にも排水がたまる。ストレート管２４とエルボ２２との中にも排水がたまる分、水封部６０だけに排水がたまる場合に比べ、水封は破れにくくなっている。
【００３３】
また、本実施形態にかかる排水トラップ２０において、水封部６０の底面６０２から隔壁３４の頂部３４２までの高さが、気体収容部６２の底面６２２から隔壁３４の頂部３４２までの高さに比べ高い。しかも、排水流出部３８は貯水部３０の底から真下方向に突出している。これにより、貯水部３０の側面から排水流出部３８を突出させ、かつ、その排水流出部３８と排水管７０とをエルボを介して接続する場合に比べ、排水トラップ２０が占有する空間の体積を抑えることができる。そのような体積を抑えることができるので、洗面台の下の部分を有効に活用することできる。しかも、排水トラップ２０が占める空間の体積の割には、水封部６０に十分な空間を確保することができる。
【００３４】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００３５】
例えば、排水トラップ２０を洗面台の真下の中央部分から離す必要があまりないのであれば、トラップユニット１０において、エルボ２２と排水流入部３６とが直接接続されても良い。この場合、ストレート管２４は不要である。エルボ２２と排水流入部３６とを直接接続することに代え、排水流入部３６がエルボ状の形となっていても良い。この場合、エルボ２２も不要である。排水流入部３６が蓋３２を貫通して貯水部３０の底面６０２付近に達する筒状の部材であっても良い。この場合にも、エルボ２２とストレート管２４とは不要である。
【００３６】
また、気体収容部６２の底面６２２から隔壁３４の頂部３４２までの高さは、図１に示したものに限定されない。排水トラップ２０の位置が洗面台の真下から十分離れているなどの理由により、排水トラップ２０の体積を小さくする必要性があまり高くないのであれば、その高さは、図１に示したものより高くなっても構わない。
【００３７】
また、排水流出部３８の形状は、図１に示すような筒状でなくても良い。例えば、排水流出部３８は、貯水部３８の底に設けられ、かつ、雌ネジが形成された孔であって、周知の継手（例えばニップルやブッシング）により排水管７０と接続できるものであっても良い。
【００３８】
排水流入部３６や排水流出部３８の配置は、図１などに示したものに限定されない。例えば、上述したように、排水流入部３６は、蓋３２を貫通するよう設けられても良い。排水流入部３６は、貯水部３０の底に設けられても良い。排水流入部３６は、貯水部３０の側面のうち、図１に示した側面とは異なる側面に設けられても良い。排水流出部３８は、貯水部３０の側面に設けられても良い。
【００３９】
隔壁３４の数は、１枚に限られない。隔壁３４は２枚以上設けられても良い。それらの隔壁３４のいずれかは、蓋３２から吊下げられ、貯水部３０の内壁の側面に密着し、貯水部３０の底との間で隙間を形成するものであっても良い。
【００４０】
隔壁３４は、貯水部３０の内面に一体化されたものに限定されない。例えば、隔壁３４は、貯水部３０の中に差し込まれるものであっても良い。この場合、貯水部３０の互いに対向する内面それぞれに溝（図示せず）を設けておき、隔壁３４の両端がそれらの溝に挿入されることが好ましい。この場合、それらの溝と隔壁３４との間がシール材でシールされていることがさらに好ましい。
【００４１】
隔壁３４は、平板でなくても良い。例えば、隔壁３４は、曲がった板であってもよい。
【００４２】
隔壁３４は、貯水部３０の中の中央から直立していなくても良い。例えば、隔壁３４は、図１に示した位置よりも排水流入側に配置されていても良いし、排水流出部３８の開口の縁から直立していても良い。
【００４３】
排水トラップ２０の素材は特に限定されない。汎用の不透明な樹脂のほか、透明な樹脂（内部が見えるので汚れをすぐに発見できるという特徴がある）や金属を素材としても良い。透明な素材を用いる場合、その素材に色が付いていてもよい。
【００４４】
貯水部３０は、蓋３２によって密閉される構造でなくともよい。たとえば、２つの椀型容器の口の部分同士を密着させて、貯水部を形成しても良い。この場合、隔壁にあたる部材をそれら椀型容器の口の部分にはさむと良い。
【００４５】
貯水部３０の外観形状は、上述したものに限定されない。排水トラップ２０の位置が洗面台の真下から十分離れているなどの理由により、貯水部３０の外観形状が特段の制約を受けないのであれば、貯水部３０の外観形状は、直方体であってもよいし、円柱形であってもよいし、球形であってもよいし、その他の形状であってもよい。
【符号の説明】
【００４６】
１０  トラップユニット
２０  排水トラップ
２２  エルボ
２４  ストレート管
３０  貯水部
３２  蓋
３４  隔壁
３６  排水流入部
３８  排水流出部
３８  貯水部
４０  パッキン
５０  雌ネジ部
５２  ネジ孔
６０  水封部
６２  気体収容部
７０  排水管
３４２  頂部
３６２  上端
６０２，６２２     底面
【図１】
2011132664.tif 000003
【図２】
2011132664.tif 000004
【図３】
2011132664.tif 000005